(57)【要約】【課題】コンロなどの調理手段を安全にセットすることができ、セットした調理手段により快適に調理や食事をすることができる調理手段付テーブル、及び、該調理手段付テーブルに用いる焼き調理用プレートの提供を目的とする。【解決手段】テーブル天板１１と、該テーブル天板１１を下側から支持する筒状基台２１と、調理手段３１とを備えた調理手段付テーブル１であって、上記調理手段３１を上記筒状基台２１の内部に収容可能に開口した天板開口部１２を、上記テーブル天板１１に構成し、上記筒状基台２１の内部に収容した上記調理手段３１を、上記筒状基台２１に係合し、上記調理手段３１が上記筒状基台２１と係合する係合部を、上記調理手段３１の外周側の隅角部分３３で構成し、上記筒状基台２１が上記調理手段３１に係合される被係合部を、上記筒状基台２１の上端から切り欠いた切欠き部２５で構成した。【選択図】図１
2011005175.tif 000002
【特許請求の範囲】
【請求項１】
テーブル天板と、該テーブル天板を下側から支持する筒状基台と、調理手段とを備えた調理手段付テーブルであって、
上記調理手段を上記筒状基台の内部に収容可能に開口した天板開口部を、上記テーブル天板に構成し、
上記筒状基台の内部に収容した上記調理手段を、上記筒状基台に係合し、
上記調理手段が上記筒状基台と係合する係合部を、上記調理手段の外周側の隅角部分で構成し、
上記筒状基台が上記調理手段に係合される被係合部を、上記筒状基台の上端から切り欠いた切欠き部で構成した
調理手段付テーブル。
【請求項２】
上記筒状基台をドラム缶で構成した
請求項１に記載の調理手段付テーブル。
【請求項３】
上記テーブル天板に、上記筒状基台の開口上端部分を嵌め込み可能な嵌込み部を形成した
請求項１、又は、２に記載の調理手段付テーブル。
【請求項４】
上記テーブル天板を上記筒状基台に対して固定する天板固定手段を、上記テーブル天板、及び、上記筒状基台のうち少なくともいずれか一方に備えた
請求項１から３のいずれかに記載の調理手段付テーブル。
【請求項５】
上記筒状基台における上記調理手段よりも下側部分に、上記筒状基台の内側と外側とを連通する筒状基台側壁開口部を形成し、
上記筒状基台側壁開口部の周縁部分に、該周縁部分の表面を塗装した塗装部を形成した
請求項１から４のいずれかに記載の調理手段付テーブル。
【請求項６】
上記調理手段を、調理部を有するコンロで構成した
請求項１から５のいずれかに記載の調理手段付テーブル。
【請求項７】
上記調理手段を、調理部を備えた調理手段本体部と、該調理手段本体部を取り出し可能に格納する調理手段本体格納部とで構成し、
上記係合部を、上記調理手段本体格納部の外周側の隅角部分に設定した
請求項１から５のいずれかに記載の調理手段付テーブル。
【請求項８】
上記調理手段を、加熱調理手段で構成し、
上記調理部を、焼き調理用プレートで構成し、
上記焼き調理用プレートにおける、上記加熱調理手段の熱源の直上部分でない熱源非配置相当部分のみに、厚み方向に連通する連通溝を形成した
請求項６、又は、７に記載の調理手段付テーブル。
【請求項９】
請求項８に記載の調理手段付テーブルに備えた上記焼き調理用プレートであって、
焼き調理用プレート本体に、熱源の直上部分である熱源配置相当部分から上記熱源非配置相当部分に沿って伸びる長尺状の溝を複数、配設し、
上記熱源配置相当部分の上記溝を、底部を有する凹溝で形成し、上記熱源非配置相当部分の上記溝を、上記連通溝で形成した
焼き調理用プレート。
【請求項１０】
上記連通溝を、溝幅方向の側方に偏位した偏位形状で構成した
請求項９に記載の焼き調理用プレート。
【発明の詳細な説明】
【技術分野】
【０００１】
この発明は、コンロ、七輪、或いは、流し素麺器などの調理手段をテーブル天板から露出可能に内部に収容して構成し、該調理手段を用いて調理したり食事したりすることができる調理手段付テーブル、及び、該調理手段付テーブルに用いる焼き調理用プレートに関する。
【背景技術】
【０００２】
従来より、調理手段付テーブルの一例として、調理手段の一つであるコンロをテーブル天板から露出可能に内部に収容して構成したコンロ付テーブルが普及している。
【０００３】
コンロ付テーブルは、上面に焼き調理部を有したテーブル天板と、該テーブル天板を下側から支持する基台とで構成し、焼き調理部で調理しながら食事をすることができるものである。
【０００４】
上記コンロ付テーブルに備えたコンロは、基台内部に収容された状態で、テーブル天板、或いは、基台に対して取り付けられ、焼き調理部を加熱することができる。
【０００５】
コンロは、電気、ガス、炭などで焼き調理部を加熱可能な熱源を備えているため、安全性を確保するため、テーブルや基台に対してしっかりと取り付ける必要がある。
【０００６】
例えば、下記特許文献１の「炭火ロースターに用いる炭コンロ及びそれを用いた炭火ロースター」も上記コンロ付テーブルと関連性を有する上記調理手段付テーブルの１つである。  
特許文献１の「炭火ロースター」は、テーブル天板に形成された切欠内に挿装される内胴を備え、内胴の内部には、底部に開口が形成された炭コンロが係止されており、この炭コンロは、全体としてすり鉢状に形成している。
【０００７】
炭コンロには、炭への着火を行なうために用いる着火具が係止されている。
【０００８】
着火具は、網ロストルを介して炭を積載する着火具本体と、該着火具本体の下部に紙などの着火源を収容する着火源収容部とで構成し、すり鉢状に形成した上記着火具本体を炭コンロに対して載置することで係合することができる。
【０００９】
しかし、着火具は、単にすり鉢状の上記着火具本体をすり鉢状の炭コンロに対して載置しただけであるため、火起こしの際に炭を動かしたり、調理中に積載した炭が自然に崩れるなどのおそれがあり、炭コンロに対して傾いたり、周方向に位置ずれしたりするおそれがあり、危険である。
【００１０】
かといって着火具本体が炭コンロに対して不測に位置ズレしないよう炭コンロや着火具本体に別途、係止部材を設けるのは、部品点数が多くなることや製造の際に手間を要するといった難点を有する。
【先行技術文献】
【特許文献】
【００１１】
【特許文献１】特開２００５−２７０２８１号公報
【発明の概要】
【発明が解決しようとする課題】
【００１２】
そこで本発明は、コンロなどの調理手段を安全にセットすることができ、セットした調理手段により快適に調理や食事をすることができる調理手段付テーブル、及び、該調理手段付テーブルに用いる焼き調理用プレートの提供を目的とする。
【課題を解決するための手段】
【００１３】
本発明は、テーブル天板と、該テーブル天板を下側から支持する筒状基台と、調理手段とを備えた調理手段付テーブルであって、上記調理手段を上記筒状基台の内部に収容可能に開口した天板開口部を、上記テーブル天板に構成し、上記筒状基台の内部に収容した上記調理手段を、上記筒状基台に係合し、上記調理手段が上記筒状基台と係合する係合部を、上記調理手段の外周側の隅角部分で構成し、上記筒状基台が上記調理手段に係合される被係合部を、上記筒状基台の上端から切り欠いた切欠き部で構成したことを特徴とする。
【００１４】
上記構成により、上記調理手段を上記筒状基台の内部に収容したとき、上記調理手段の外周側の隅角部分は、上記筒状基台に形成した切欠き部に入り込み、該切欠き部の縁部に係合することにより、上記筒状基台に対して上記調理手段が周方向に位置ずれしたり、がたついたりすることがなく、上記調理手段を筒状基台に対してしっかりと係合することができる。  
従って、耐久性に優れた調理手段付テーブルを容易に構成することができ、該調理手段付テーブルにより安全、且つ、快適に調理や食事をすることができる。
【００１５】
また、上記係合部は、調理手段の外周側部分の隅角部分であり、該調理手段の外周側部分の隅角部分を利用して上記筒状基台における被係合部である切欠き部に対して係合することができるため、該調理手段の外周側部分に上記筒状基台に対して係合するための係合部材を別途、取り付ける必要がない。
【００１６】
一方、上記被係合部は、上記調理手段の外周側の隅角部分に係合されるよう上記筒状基台に形成した切欠き部であるため、切欠きを形成するという僅かな追加工を施すだけで容易に形成することができる。
【００１７】
従って、調理手段付テーブルは、上記筒状基台に対して上記調理手段を係合するための構成を、簡素な構成で構成することができる。
【００１８】
ここで上記筒状基台は、平面視円形状（円筒状）に限らず平面視多角形状で構成してもよく、さらには、平面視楕円形状で構成してもよい。
【００１９】
また、上記調理手段は、その外周側に隅角部を有する形状で構成であれば、その形状は限定せず、例えば、平面視三角形状、平面視四形状などの平面視多角形状で構成することができる。
【００２０】
この発明の態様として上記基台をドラム缶で構成することができる。
【００２１】
ドラム缶は、コンロ付テーブルの基台として用いる上で好適である。  
詳しくは、ドラム缶は、元々、円筒状をした筒状基台（円筒状基台）を有した構成であるため、ドラム缶本体に対して切欠きを形成するなど簡易な追加工を施すだけで容易に調理手段付テーブルの筒状基台として用いることができる。
【００２２】
さらに、上記基台をドラム缶で構成すれば、調理手段付テーブルの筒状基台として立てた状態で載置したとき、安定して接置することができるとともに、筒状基台が円筒状であるため、調理手段付テーブルは、その周方向のいずれの場所に着席した場合も、筒状基台により足元が邪魔になることがなく使い勝手よく快適に用いることができる。
【００２３】
またこの発明の態様として上記テーブル天板に、上記筒状基台の開口上端部分を嵌め込み可能な嵌込み部を形成することができる。
【００２４】
上記構成によれば、上記筒状基台の開口上端部分を、上記テーブル天板の嵌込み部に嵌め込むことが可能となり、形状的に撓み易い上記開口上端部分が不測に撓み変形することを防ぐことができる。
【００２５】
よって、調理手段を、上記筒状基台に対してガタつくなどせず、しっかりと係合することができる。
【００２６】
またこの発明の態様として上記テーブル天板を上記筒状基台に対して固定する天板固定手段を、上記テーブル天板、及び、上記筒状基台のうち少なくともいずれか一方に備えることができる。
【００２７】
上記構成により、テーブル天板に、該テーブル天板の外周縁部を押えつけるようなモーメント荷重が加わってもテーブル天板が筒状基台に対して捲れあがることを阻止することができる。また、テーブル天板が筒状基台に対して周方向へ位置ずれしてしまうことを阻止することができ、テーブル天板を上記筒状基台の上部に一体に取り付けた状態に保つことができる。
【００２８】
またこの発明の態様として上記筒状基台における上記調理手段よりも下側部分に、上記筒状基台の内側と外側とを連通する筒状基台側壁開口部を形成し、上記筒状基台側壁開口部の周縁部分に、該周縁部分の表面を塗装する塗装部を形成することができる。
【００２９】
上記構成により、筒状基台側壁開口部の鋭角状の周縁部分を塗装部によって覆うことにより、筒状基台側壁開口部の周縁部分を鋭角状から丸みをもった周縁部分にすることができる。
【００３０】
よって、筒状基台側壁開口部の周縁部分に、人体が接触しても怪我をすることがなく、又、物品が引っ掛かることを抑制できるため、筒状基台側壁開口部を通じて筒状基台の内部に対して鞄などの物品をスムーズに出し入れすることができる。
【００３１】
この発明の態様として上記調理手段を、調理部を有するコンロで構成することができる。
【００３２】
上記構成により、コンロの外周側の隅角部を係合部として上記筒状基台の上端から切り欠いた切欠き部に係合することができるため、コンロを、がたつくことなく安定した状態で上記筒状基台の内部に収容することができる。
【００３３】
よって、コンロで肉などの食材を焼きながら安全に食事を楽しむことができる。
【００３４】
上記調理手段は、コンロ（ロースター）に限らず、例えば、七輪、ガスコンロの五徳などの加熱調理手段を挙げることができる。或いは、鍋やフライパン、焼き網などの熱源を備えていない加熱調理手段であってもよい。その他にも、素麺流し器、自動寿司握り器など、食材を調理できる手段であれば特に限定しない。
【００３５】
またこの発明の態様として上記調理手段を、調理部を備えた調理手段本体部と、該調理手段本体部を取り出し可能に格納する調理手段本体格納部とで構成し、上記係合部を、上記調理手段本体格納部の外周側の隅角部分に設定することができる。
【００３６】
上記構成により、上記調理手段本体格納部は、その隅角部分を係合部として上記筒状基台の切欠き部にしっかりと係合させることができる。そして、上記調理手段は、調理手段本体格納部に格納することで転倒などのおそれがない。  
よって、安全に食事をすることができる。
【００３７】
さらに、調理手段本体部は、上記調理手段本体格納部に対して格納したり取り出したりすることもできる。
【００３８】
このため、調理手段本体部を調理手段本体格納部から取り出して清掃やメンテナンスを容易に行うことが可能となる。
【００３９】
ここで、上記調理手段本体部は、例えば、コンロ（ロースター）七輪、ガスコンロの五徳などの加熱調理手段を挙げることができる。或いは、鍋やフライパン、焼き網などの熱源を備えていない加熱調理手段であってもよい。その他にも、素麺流し器、自動寿司握り器など、食材を調理できる手段であれば特に限定しない。
【００４０】
よって、上記調理手段として、例えば、コンロから流し素麺器など他の種類のものと交換することも可能となるので、料理のバリエーションが増え、様々な種類の食事を楽しみたいという要求を満たすことができる。
【００４１】
さらに、料理の種類変更の際に、調理手段本体部を他の種類のものに交換すれば、大掛かりな設備変更や準備のための待ち時間を必要としないため、全くジャンルの異なる料理でも手軽に変更することができる。
上記調理手段本体格納部は、その外周側に隅角部を有する形状であれば、その形状は限定せず、例えば、平面視三角形状、平面視四形状などの平面視多角形状で構成することができる。
【００４２】
ここで上記調理部には、例えば、焼き調理用プレート、調理用焼き網、さらには、鍋やフライパンなども含む。さらには、調理手段が素麺流し器である場合は、調理部は、水に浸した素麺が回転しながら流れることを許容する素麺収容容器を示す。
【００４３】
またこの発明の態様として、上記調理手段を、加熱調理手段で構成し、上記調理部を、焼き調理用プレートで構成し、上記焼き調理用プレートにおける、上記加熱調理手段の熱源の直上部分でない熱源非配置相当部分のみに、厚み方向に連通する連通溝を形成することができる。
【００４４】
このように、上記焼き調理用プレートに上記連通溝を形成することにより、焼き調理用プレートで肉などの食材を焼いた場合、余分な油や肉汁は、連通溝を通じて焼き調理用プレートの下方へ滴下させることができるため、食材が油でべたつかずに調理することができる。
【００４５】
さらに、連通溝を、上記熱源非配置相当部分のみに形成することにより、連通溝を通じて滴下した油などが熱源に接触することで、煙が発生することを防ぐことができ、上記加熱調理手段を上記無煙ロースターとして構成することができる。
【００４６】
よって、上記焼き調理用プレートを用いることにより、調理中や食事中に上記加熱調理手段から煙が発生することを防ぐことができるため、快適に調理や食事をすることができる。
【００４７】
加えて、例えば、基台など、テーブル天板の下方に、排煙ダクトなど大掛かりな煙対策のための構成を備えたりするための内装工事を施す必要がなく、基台を簡素な構成で構成することができる。
【００４８】
従って、上記焼き調理用プレートは、ドラム缶などの簡素な基台で構成した調理手段付テーブルに好適な調理部として用いることができる。
【００４９】
また、本発明は、上記調理手段付テーブルに備えた上記焼き調理用プレートであって、焼き調理用プレート本体に、熱源の直上部分である熱源配置相当部分から上記熱源非配置相当部分に沿って伸びる長尺状の溝を複数、配設し、上記熱源配置相当部分の上記溝を、底部を有する凹溝で形成し、上記熱源非配置相当部分の上記溝を、上記連通溝で形成したことを特徴とする。
【００５０】
上記溝は、凹溝と連通溝とが溝形成方向において一体に連設した長尺状であるため、凹溝が配設された熱源配置相当部分で肉を焼いた場合、凹溝に落ち込んだ油は、連通溝へとスムーズに流れ、連通溝を通じて焼き調理用プレートの下方に備えた、熱源の有しない油受け皿などへ滴下させることができる。
【００５１】
従って、本発明の焼き調理用プレートで肉などの食材を焼いた場合、熱源に油や肉汁が滴下して煙が発生することがないため、快適に調理、食事をすることができる。
【００５２】
よって、上記焼き調理用プレートは、上述したように、筒状基台をドラム缶で構成した調理手段付テーブルに好適な調理部として構成することができる。
【００５３】
またこの発明の態様として上記連通溝を、溝幅方向の側方に偏位した偏位形状で構成することができる。
【００５４】
上記構成により、熱源非配置相当部分において配設した上記連通溝は、溝幅方向の側方に偏位した形状であるため、直線状に形成した場合と比較して溝形成方向の長い溝で形成することができる。よって、厚み方向に連通した連通溝は、調理用プレートの一部分である熱源非配置相当部分にしか形成していないが、熱源配置相当部分から熱源非配置相当部分に流れ込んだ油や肉汁を、該連通溝を通じて効果的にプレート下側の油受け皿に滴下させることができる。
【発明の効果】
【００５５】
本発明は、コンロなどの調理手段を安全にセットすることができ、セットした調理手段により快適に調理や食事をすることができる調理手段付テーブル、及び、該調理手段付テーブルに用いる焼き調理用プレートの提供を目的とする。
【図面の簡単な説明】
【００５６】
【図１】本実施形態のコンロ付テーブルの外観図。
【図２】本実施形態のコンロ付テーブルの平面図（ａ）、正面図（ｂ）。
【図３】本実施形態のコンロ付テーブルの右側面図（ｃ）、底面図（ｄ）。
【図４】図２（ｂ）中のＢ−Ｂ線端面図（ｅ）、図２（ｂ）中のＣ−Ｃ線端面図（ｆ）。
【図５】図２（ａ）中のＡ−Ａ線端面図。
【図６】図３（ｄ）中の領域Ｘの拡大図（ａ）、図６（ａ）中のＡ−Ａ線端面図（ｂ）、図２（ｂ）中のＤ−Ｄ線端面図（ｃ）。
【図７】本実施形態のコンロ付テーブルの他の外観図。
【図８】本実施形態の調理用プレートの平面図（ａ）、左側面（ｂ）、正面図（ｃ）。
【図９】本実施形態の調理用プレートの底面図（ｄ）、図８（ａ）の領域Ｘの拡大図（ｅ）。
【図１０】図８（ａ）中のＤ−Ｅ−Ｆ−Ｇ−Ｇ−Ｈ−Ｉ−Ｊ線端面図（ｆ）、Ｋ−Ｋ線端面図（ｇ）。
【図１１】本実施形態の調理用プレートの作用説明図。
【図１２】他の実施形態のコンロ付テーブルの説明図。
【図１３】他の実施形態のコンロ付テーブルの説明図。
【発明を実施するための形態】
【００５７】
この発明の一実施形態を、以下図面を用いて説明する。  
本実施形態におけるコンロ付テーブル１は、大別すると図１から図７に示すように、テーブル天板１１と円筒状基台２１とコンロ３１とで構成している。  
図１は、コンロ付テーブル１の外観図であり、図２（ａ），（ｂ）は、それぞれコンロ付テーブル１の平面図、正面図である。図３（ｃ），（ｄ）は、それぞれコンロ付テーブル１の右側面図、底面図である。図４（ｅ）は、コンロ３１の内部構造を省略して示した図２（ａ）のＢ−Ｂ線端面図であり、図４（ｆ）は、図２（ｂ）のＣ−Ｃ線端面図であり、図５は、図２（ａ）のＡ−Ａ線端面図である。図７は、後述する扉１６を開いた状態のコンロ付テーブル１の外観図である。
【００５８】
上記テーブル天板１１は、円板状をした木製の板材で形成し、中央部に、略直方体をしたコンロ３１を挿嵌可能な平面視矩形状の天板開口部１２を形成している。
【００５９】
上記円筒状基台２１は、円筒状基台本体２２と該円筒状基台本体２２の下面に取り付けた４つのキャスタ１９で構成している。上記円筒状基台本体２２は、ドラム缶２で形成するとともに、該ドラム缶２の天板（上面）をくり抜いた有底円筒状で形成している。
【００６０】
上記円筒状基台本体２２は、該円筒状基台本体２２を上下方向に略３等分配する各部分に、全周に亘って突状に形成した２つの節部２３を有している。該２つの節部２３は、上側の節部２３Ｕ（上側節部２３Ｕ）と、下側の節部２３Ｄ（下側節部２３Ｄ）とで構成している。  
ここで、円筒状基台本体２２における上側節部２３Ｕよりも上側部分を円筒状上段胴部２２Ｕに設定し、上側節部２３Ｕと下側節部２３Ｄとの間を円筒状中段胴部２２Ｍに設定し、下側節部２３Ｄよりも下側部分を円筒状下段胴部２２Ｄに設定している。
【００６１】
上記円筒状基台本体２２は、図５に示すように、内部空間Ａを有し、該内部空間Ａとテーブル天板１１の天板開口部１２とが上下方向において連通するようテーブル天板１１を円筒状基台本体２２に取り付けている。
【００６２】
詳しくは、テーブル天板１１の下面中央部分における天板開口部１２よりも外周側縁部には、図５に示すように、円筒状基台本体２２に取り付けたときに円筒状基台本体２２の開口上端部分２２ａを嵌め込み可能な正面視円形の嵌込み凹部１１ａを形成している。
【００６３】
上記嵌込み凹部１１ａは、円筒状基台本体２２の開口上端部分２２ａを嵌め込み可能な溝であり、その溝幅は、嵌込み凹部１１ａの周縁部分により、円筒状基台本体２２の開口上端部分２２ａをガイド可能に形成している。
【００６４】
さらに、図６（ａ），（ｂ）に示すように、テーブル天板１１の下面であって、嵌込み凹部１１ａよりも径外方向部分における周方向の一部分には、円筒状基台本体２２と係合可能なスライド棒７１ａと摘み部７１ｂとで構成したスライド係合金具７１を取り付けている。
【００６５】
一方、円筒状基台本体２２には、円筒状基台本体２２側へ突出させたスライド棒７１ａを差込み可能なスライド棒係合孔７２を形成している（図６（ｂ）参照）。  
なお、図６（ａ）は、図３（ｄ）の領域Ｘの拡大図であり、図６（ｂ）は、図６（ａ）のＡ−Ａ線端面図である。
【００６６】
また、円筒状基台本体２２は、該円筒状基台本体２２の平面視中心部分とコンロ３１の平面視中心部分とを互いに一致させたとき、直方体をしたコンロ３１の４つの隅角部分３３が円筒状基台本体２２よりも外側へ突出するサイズで形成している（図４参照）。
【００６７】
つまり、円筒状基台本体２２は、その内部空間Ａに単純にはコンロ３１を挿入不可能な大きさで構成している。
【００６８】
このため、円筒状基台本体２２には、内部空間Ａにコンロ３１を上方から挿入しようとしたとき、開口上端部分２２ａにおける、コンロ３１の４つの隅角部分３３のそれぞれが当接する当接相当部分を下方へ切り欠いた切欠き部２５を形成している。
【００６９】
以上により、図１、図２（ｂ）、図３（ｃ），（ｄ）、並びに、図４に示すように、コンロ３１を、テーブル天板１１の天板開口部１２を通じて円筒状基台本体２２の内部空間Ａに上方から挿入したとき、コンロ３１の隅角部分３３が切欠き部２５にそれぞれ係合した状態で収容することができる。
【００７０】
円筒状上段胴部２２Ｕは、その周方向に複数の円形状の通気孔２６を配設している。さらに、円筒状上段胴部２２Ｕは、図７に示すように、内部空間Ａに収容したコンロ３１に備えた後述する油受けトレイ３６を該円筒状胴部２２の外側から出し入れ可能にトレイ出入れ用開口部１５を周方向の一部分に形成し、該トレイ出入れ用開口部１５を閉塞する扉１６を備えている。
【００７１】
上記扉１６は、円筒状上段胴部２２Ｕの外周面の一部を構成する平面視円弧状の板材で形成し、その円弧形状の一端側をトレイ出入れ用開口部１５の縁部にヒンジ１７により枢着している。
【００７２】
また、上記扉１６を、トレイ出入れ用開口部１５を閉じた状態でロックするロック機構１８を備えている。ロック機構１８は、円筒状基台２１と係合可能に上下動可能に扉１６側に備えた係合杆１８ａと、円筒状基台２１側における上記係合杆１８ａの近傍に備え、降下させた係合杆１８ａを差込み可能な貫通孔を有して突出した係合突片部１８ｂとで構成している。
【００７３】
円筒状中段胴部２２Ｍは、その周方向に３つの側壁開口部２８を配設し、コンロ３１の電源コード３８（図５参照）を円筒状基台２１外側へ引き出し可能に構成するとともに、円筒状下段胴部２２Ｄの内部空間Ａに対して鞄などの物品を出し入れ可能に形成している。円筒状下段胴部２２Ｄは、上述したように物品を収容可能な物置として利用可能に内部空間Ａを物品収容空間として構成している。
【００７４】
また、図６（ｃ）に示すように、上記円筒状基台本体２２は、上記側壁開口部２８を形成した後、側壁開口部２８の鋭角状の周縁部分２８ａを含む表面全体を塗装し、表面に塗装部７５を形成している。  
なお、図６（ｃ）は、図２（ｂ）のＤ−Ｄ線端面図である。
【００７５】
続いてコンロ３１について詳述する。  
コンロ３１は、肉などの食材を載せる調理用プレート４１と、該調理用プレート４１をセットして加熱するコンロ本体３２とで構成している。
【００７６】
コンロ本体３２は、直方体をしたアルミ製の筐体３４で覆われ、該筐体３４の上面には、ステンレス製のコンロ天板部３５を一体に設置している。
【００７７】
コンロ天板部３５は、図２（ａ）、図５に示すように、調理用プレート４１をセット可能にプレート取付部３５ａを枠状の構成し、平面視したとき長手方向における調理用プレート４１の有する側と反対側に加熱部３０のＯＮ／ＯＦＦ操作、並びに、加熱度合いを調節するレバー３６ａ（図２（ａ）中、破線で示したレバー３６ａ参照）を備えた操作部３６を構成している。操作部３６は、凹状に構成し、該凹底部にレバー３６ａを設け、コンロ天板部３５と面一に形成した操作用扉３６ｂによって閉塞されている。
【００７８】
図５に示すように、コンロ天板部３５は、筐体３４に対して外側方向へ鍔状に突出したフランジ部３５ｂを形成し、該フランジ部３５ｂは、テーブル天板１１の天板開口部１２にコンロ本体３２を挿入したとき、テーブル天板１１の天板開口部１２の開口縁部に設置可能な大きさで形成している。
【００７９】
コンロ本体３２は、調理用プレート４１の下方にコンロ内空間Ｚを構成し、調理用プレート４１上の油などが該調理用プレート４１を通じてコンロ内空間Ｚへ滴下可能に構成している。
【００８０】
コンロ内空間Ｚの下方には、調理用プレート４１から滴下した油や肉汁などを受ける油受けトレイ３６を備え、該油受けトレイ３６は、滴下した油などの掃除がし易いようコンロ本体３２に対して引き出し可能に構成している（図５、図７参照）。
【００８１】
コンロ内空間Ｚにおける幅方向の両外側には、加熱部３０を長手方向に沿って配設している。加熱部３０は、図５に示すように棒状のハロゲンランプ３０Ａ（ハロゲンヒータ）を有して構成し、該ハロゲンランプ３０Ａは、断面視Ｕ字形状をした反射板３０Ｂと、ガラス板３０Ｃとで構成される空間内に収容されている。
【００８２】
筐体３４の側面には、コンロ内空間Ｚに発生した煙や臭気などを外部に排出する複数の通気孔３７を形成し、また、加熱部３０用の電源コード３８を配している。
【００８３】
続いて調理用プレート４１について図８から図１０を用いて詳述する。  
なお、図８（ａ），（ｂ），（ｃ）は、それぞれ調理用プレート４１の平面図、左側面図、正面図であり、図９（ｄ）は、調理用プレート４１の底面図であり、図９（ｅ）は、図９（ａ）の領域Ｘの拡大図である。図１０（ｆ）は、図８（ａ）のＤ−Ｅ−Ｆ―Ｇ―Ｇ―Ｈ−Ｉ−Ｊ線端面図であり、図１０（ｇ）は、Ｋ−Ｋ線端面図である。
【００８４】
調理用プレート４１は、プレート取付け部３５ａに取り付け可能なフランジ部４１ａを外周縁部に有した底浅のトレイ形状で形成し、幅方向Ｗに対して長手方向Ｌの長さがやや長い平面視長方形状で形成している。  
なお、調理用プレート４１は、食材が焦げ付かないよう表面全体をフッ素コーティングしている。
【００８５】
調理用プレート４１は、幅方向Ｗの外側から中間部分に向けて緩やかに深くなる傾斜形状で形成している（図１０（ｆ）参照）。  
調理用プレート４１の上面には、幅方向Ｗの中間部に対して両側に溝４２を長手方向Ｌ全体に亘って複数配設している。上記溝４２は、プレート取付け部３５ａに設置したとき、熱源配置相当部分４７から熱源非配置相当部分４８に沿って（つまり幅方向Ｗへ）伸びる長尺状に形成している（図８（ａ）参照）。
【００８６】
なお、熱源配置相当部分４７は、調理用プレート４１の幅方向Ｗの外側部分であり、調理用プレート４１をプレート取付け部３５ａに設置したとき、加熱部３０の直上部分に相当する（図８（ａ）中、仮想線で示した加熱部３０参照）。熱源非配置相当部分４８は、幅方向Ｗにおける熱源配置相当部分４７よりも中央側部分であり、調理用プレート４１をプレート取付け部３５ａに設置したとき、加熱部３０の直上部分でない部分に相当する。
【００８７】
上記熱源配置相当部分４７の上記溝４２は、底部を有する凹溝４３で形成し、上記熱源非配置相当部分４８の上記溝４２は、厚み方向に連通した連通溝４４で形成している。
【００８８】
凹溝４３と連通溝４４とは、溝形成方向（Ｗ）において一体に連設し、凹溝４３は、直線形状で形成し、連通溝４４は、複数配設した各溝４２の略半ピッチ（ｐ／２）分だけ溝幅方向（Ｌ）の側方へ偏位した形状で形成している（図９（ｅ）参照）。
【００８９】
なお、幅方向Ｗの各側において複数配設した複数の溝４２のうち、長手方向Ｌの両端側に形成した溝４２は、連通溝４４の長さを他の溝４２よりも短く形成している（図８（ａ）、図９（ｄ）参照）。
【００９０】
また、調理用プレート４１の幅方向Ｗの中間部分には、長手方向Ｌにそって複数の平面視円形状の連通孔４５を略等間隔で配設している（図８（ａ）、図１０（ｇ）参照）。
【００９１】
さらに、調理用プレート４１の幅方向Ｗの中間部分であって、長手方向Ｌの両端側には、調理用プレート４１を、プレート取付部３５ａに対して着脱する際に使用する治具（図示せず）を差込可能に連通した治具係合用孔部４６を形成している（図８（ａ）、図１０（ｇ）参照）。
【００９２】
上述したコンロ付テーブル１用天板は、以下のような様々な作用、効果を奏することができる。  
上記コンロ３１をテーブル天板１１、及び、円筒状基台２１に取り付ける際には、直方体をしたコンロ３１の外周側（筐体３４）の隅角部分３３と、円筒状基台本体２２の切欠き部２５とが周方向において一致した状態でコンロ３１をテーブル天板１１に形成した天板開口部１２から挿入する。
【００９３】
円筒状基台本体２２の切欠き部２５は、開口上端部分２２ａから切り欠いた形状であるため、コンロ３１を降下させるに従って該コンロ３１の外周側の４つの隅角部分３３のそれぞれが円筒状基台本体２２の各切欠き部２５に係合した状態でコンロ３１を円筒状基台本体２２に嵌め込むことができる。
【００９４】
以上により、上記コンロ３１を円筒状基台本体２２に収容したとき、上記コンロ３１の外周側の隅角部分３３は、切欠き部２５の縁部に係合することにより、上記円筒状基台２１に対して上記コンロ３１が周方向に位置ずれしたり、がたついたりすることがなく、上記コンロ３１を円筒状基台２１に対してしっかりと取り付けることができる。  
なお、コンロ天板部３５のフランジ部３５ｂは、テーブル天板部１１の天板開口部１２の周縁部に設置した状態となる。
【００９５】
従って、内部が高温になり危険な加熱部３０を有するコンロ３１を、容易に、且つ、しっかりと安定して取り付けることができ、安心して調理や食事をすることができる。
【００９６】
なお、コンロ３１は、円筒状基台本体２２に収容した状態において、円筒状基台本体２２とコンロ３１との間に隙間を確保することができる（図４（ｅ）の内部空間Ａ参照）。よって、該隙間に手や専用の治具を差込むことができるため、コンロ３１を円筒状基台本体２２に対して容易に収容、或いは、取り出すことができる。
【００９７】
また、コンロ３１の外周側部分の隅角部分３３を利用して上記円筒状基台２１の円筒状基台本体２２に対して係合することができ、また、円筒状基台２１の上記円筒状基台本体２２には、上記コンロ３１の隅角部分３３を係合可能な切欠き部２５を形成するだけでよい。
【００９８】
このため、コンロ３１の外周側部分に、円筒状基台本体２２に対して係合するための係合部材を別途、取り付けることがなく、また、円筒状基台本体２２として用いるドラム缶２に対して大掛かりな追加工を施すことなく簡素な構成でしっかりとコンロ３１を円筒状基台本体２２に対して係合することができ、容易に耐久性に優れたコンロ付テーブルを構成することができる。
【００９９】
さらに、上記円筒状基台２１をドラム缶２で構成することにより、円筒状基台２１として立てた状態でも安定して接置することができるとともに、円筒状基台本体２２が円筒状であるため、コンロ付テーブル１は、その周方向のいずれの場所に円筒状基台２１を囲むようにして着席した場合も、該円筒状基台２１により足元が邪魔になることがなく使い勝手よく快適に用いることができる。
【０１００】
また、上記溝４２は、凹溝４３と連通溝４４とが溝形成方向（Ｗ）において一体に連設した長尺状であるため、図１１（ｂ）に示すように、凹溝４３が配設された熱源配置相当部分４７で肉Ｍを焼いた場合、凹溝４３に落ち込んだ油Ｏを、連通溝４４へとスムーズに流し込むことができる。
【０１０１】
連通溝４４へ流れ込んだ油Ｏは、図１１（ａ）に示すように、調理用プレート４１の下方のコンロ内空間Ｚにおける、加熱部３０を有しない側の空間に滴下し、油受けトレイ３６により受け止めることができる。
【０１０２】
従って、上記調理用プレート４１で肉Ｍなどの食材を焼いた場合、加熱部３０に油や肉汁が滴下して煙が発生することがないため、快適に調理、食事をすることができる。  
なお、図１１（ａ）は、コンロ３１を断面図により示した調理用プレート４１の作用説明図であり、図１１（ｂ）は、図１１（ａ）の領域Ｙの拡大図である。
【０１０３】
また、上記調理用プレート４１は、円筒状基台２１をドラム缶２で構成したコンロ付テーブル１に好適な加熱調理具として用いることができる。  
詳しくは、上述した調理用プレート４１を用いることにより、調理中、食事中にコンロ３１から煙が発生することを防ぐことが可能となり、コンロ３１を無煙ロースターとして構成することができる。
【０１０４】
このため、例えば、円筒状基台２１など、テーブル天板１１の下方に、排煙ダクトなど大掛かりな煙対策のための構成を備える必要がない。
【０１０５】
よって、円筒状基台２１を簡素な構成であるドラム缶２で構成することが可能となり、例えば、焼肉店などの店舗出店の際に必要であったダクトの配管工事などの内装工事に伴う多額の初期費用や時間を大幅に削減することができる。これにより、焼肉店などの店舗出店が実現し易くなるとともに、削減したコストを客に還元することができる。すなわち、客は、安心した価格設定で、無煙式のコンロ３１で快適に食事をすることが可能となる。
【０１０６】
また、調理用プレート４１において凹溝４３が配設された熱源配置相当部分４７で肉を焼いた場合は、余分な油や肉汁を凹溝４３に流れ込ませることができる。一方、連通溝４４が配設された熱源非配置相当部分４８で肉を焼いた場合は、油ｏ等を連通溝４４を通じて調理用プレート４１の下方のコンロ内空間Ｚであって熱源を有しない側の空間へと滴下させることができる（図１１（ｂ）参照）。
【０１０７】
よって、いずれの場合も肉Ｍなどの食材が油っぽくならず焼き上げることができる。
【０１０８】
また、本発明は、上述した作用効果に限定せず、様々な作用効果を奏することができる。  
まず、円筒状基台本体２２の開口上端部分２２ａにトレイ出入れ用開口部１５や被係合部として切欠き部２５を形成しているため、円筒状基台本体２２の開口上端部分２２ａは、周方向において分断され、一体性が損なわれるため、強度が低下してしまう。
【０１０９】
しかも、円筒状基台本体２２の上部には、コンロ３１をしっかりと係合するだけの十分な強度が求められる。
【０１１０】
円筒状基台本体２２の開口上端部分２２ａの強度が十分でない場合、円筒状基台本体２２の開口上端部分２２ａが不測に撓み変形したり、ガタつき易くなり、コンロ３１の係合具合が不安定になる。
【０１１１】
これに対して上述したように、コンロ付テーブル１は、上記天板１１の裏面に、円筒状基台本体２２の開口上端部分２２ａを嵌め込み可能な嵌込み凹部１１ａを形成している（図５参照）。  
上記構成によれば、上記円筒状基台本体２２の開口上端部分２２ａを、上記天板１１の裏面に形成した嵌込み凹部１１ａに嵌め込み、円筒状基台本体２２の開口上端部分２２ａを嵌込み凹部１１ａによりガイドすることにより周方向において全体として分断部分が存在しない剛性に優れた構成とすることができる。
【０１１２】
さらに、天板１１を円筒状基台本体２２に対してしっかりと取り付けることができる。
【０１１３】
よって、上記円筒状基台本体２２にコンロ３１を係合しても、開口上端部分２２ａが不測に撓み変形することがなく、また、ガタつくなどせず、しっかりとコンロ３１を装着することができる。
【０１１４】
また、テーブル天板１１の下面には、スライド係合金具７１を取り付け、円筒状基台本体２２には、スライド棒係合孔７２を形成している。
【０１１５】
ここで、例えば、テーブル天板１１上面の外周端部側に体重をかけるなどした場合、テーブル天板１１にはモーメント荷重がかかり円筒状基台本体２２に対してテーブル天板１１が捲れあがるなどして円筒状基台本体２２から外れてしまう危険性を有する。
【０１１６】
これに対して、上述したようにスライド係合金具７１のスライド棒７１ａをスライド棒係合孔７２に係合させることにより、上述したようなモーメント荷重がテーブル天板１１に加わっても、しっかりとテーブル天板１１が円筒状基台本体２２の上部に一体に取り付いた状態を保つことができる。  
なお、スライド係合金具７１、及び、スライド棒係合孔７２は、テーブル天板１１の下面の外周側に１つ備えるに限らず、複数備えてもよい。
【０１１７】
また、上記円筒状基台本体２２には、側壁開口部２８を形成することにより、側壁開口部２８を通じて物品を出し入れすることが可能となるため、内部空間Ａを鞄や靴などの物品を収容する収容空間として利用することができる。
【０１１８】
これにより、食事の際に足元に鞄などを設置しておく必要がないため、邪魔にならず、又、汚れるおそれもない。
【０１１９】
さらにまた、上記円筒状基台本体２２における、側壁開口部２８の鋭角状の周縁部を含む表面全体には、塗装部７５を形成している。
【０１２０】
ここで、側壁開口部２８は、上記円筒状基台本体２２を切り抜くなどして形成しているため、該側壁開口部２８の周縁部分は鋭角状となり、手を切るなど怪我をするおそれがある。
【０１２１】
これに対して側壁開口部２８の鋭角状の周縁部分に、塗装部７５を形成することにより、側壁開口部２８の周縁部分を鋭角状から丸みをもった周縁部分にすることができる。
【０１２２】
よって、側壁開口部２８の周縁部分に、人体が接触しても怪我をすることがなく、又、物品が引っ掛かることを抑制できるため、物品を側壁開口部２８を通じてスムーズに内部空間Ａに対して出し入れすることができる。
【０１２３】
また、本発明は、上述した実施形態に限定せず、様々な実施形態で構成することができる。  
例えば、コンロ付テーブル１は、円筒状基台本体２２の下面に、キャスタ１９を備えた構成に限らず、キャスタ１９を備えていない構成であってもよい。この場合、円筒状基台本体２２の下面を、直接、或いは、弾性体などの別部材を介在させた状態で床面に接置する構成であってもよい。
【０１２４】
また、コンロ３１の加熱部３０は、ハロゲンランプ３０Ａに限らず、炭やガスヒータなど食材を加熱可能な熱源であれば他の熱源を用いてもよい。
【０１２５】
さらにまた、切欠き部２５は、コンロ３１を内部空間Ａに収容したとき、コンロ３１の隅角部分３３の下端部が該切欠き部２５の下端部に接地し、該切欠き部２５の下端部によりコンロ３１の隅角部分３３を下側から支持可能な切り欠き深さで構成してもよい。
【０１２６】
また、コンロ付テーブル１には、図１２（ａ），（ｂ）に示すように、調理用プレート４１を隠蔽可能な隠蔽プレート７６を備えてもよい。  
なお、図１２（ａ）は、調理用プレート４１の上方に隠蔽プレート７６を備えた図５に相当する本実施形態の説明図である。図１２（ｂ）は、隠蔽プレート７６を備えたコンロ付テーブル１の上部の外観図である。
【０１２７】
隠蔽プレート７６は、普段、調理用プレート４１を使用しない場合に調理用プレート４１の上方に設置しておくとよい。これにより、調理用プレート４１に埃が付着することがなく、隠蔽プレート７６上に醤油などの物品を載置するなどテーブル天板１１の一部として有効に利用することができる。
【０１２８】
また上述したコンロ付テーブル１は、コンロ３１自体を円筒状基台本体２２の内部空間Ａに収容し、コンロ３１の筐体３４の隅角部分３３を直接、円筒状基台本体２２の切欠き部２５に係合した構成であるが、本発明は、この構成に限定しない。
【０１２９】
例えば、図１３（ａ），（ｂ）に示すように、円筒状基台本体２２の内部空間Ａに調理器具８０を収容した調理器具付テーブル１Ａを構成してもよい。
【０１３０】
詳しくは、上記調理器具８０は、上記コンロ３１のみで構成するに限らず、上記コンロ３１、又は、七輪１００などの調理器具本体８１と、調理器具本体格納箱８２とで構成することができる。
【０１３１】
調理器具本体格納箱８２は、上面が開口した直方体の箱型形状で構成し、内部に調理器具本体８１を格納可能に構成するとともに、円筒状基台本体２２の内部空間Ａに収容して構成している。  
また、調理器具本体格納箱８２は、内部に格納した調理器具本体８１を取り出し可能に構成している。
【０１３２】
調理器具本体格納箱８２は、円筒状基台本体２２の内部空間Ａに収容したとき、その外周側の隅角部分８２ａを、円筒状基台本体２２の切欠き部２５に係合することができる。
【０１３３】
上記構成により、図１３（ａ）に示すように、例えば、調理器具本体８１としてのコンロ３１を、調理器具本体格納箱８２から取り外すことができ、コンロ３１の清掃やメンテナンスを容易に行うことができる。
【０１３４】
さらに、調理器具本体格納箱８２からコンロ３１を取り出し、該コンロ３１の変わりに他の調理器具本体８１を格納することができる。
【０１３５】
例えば、図１３（ｂ）に示すように、調理器具本体８１として七輪１００を調理器具本体格納箱８２に格納して設置し、該七輪１００を用いて食材を焼いてもよい。
【０１３６】
さらに、調理器具本体格納箱８２には、調理器具本体８１として上述したコンロ３１や七輪１００に限らず、鍋、ガスコンロの五徳など他の加熱調理器具本体８１を格納して用いてもよい（図示せず）。
【０１３７】
さらには、調理器具本体格納箱８２には、これら加熱調理器具本体８１の他にも素麺流し器や自動寿司握り器など他の調理器具本体８１を格納することができる（図示せず）。
【０１３８】
いずれの場合も、調理器具本体８１を調理器具本体格納箱８２に格納することでテーブル天板１１の上面において転倒することがなく安定して設置することができるとともに、テーブル天板１１の上面に対して食材を備える調理部（焼き調理用プレート４１等）の位置が高くなりすぎないため、食事がし易くなる。
【０１３９】
そして、食事したい料理内容や、手元に有する調理器具本体８１の種類などに応じて調理器具本体８１を、適宜、変更することが可能となる。
【０１４０】
上述した実施形態と、この発明の構成との対応において、
コンロ付テーブル１、及び、調理器具付テーブル１Ａは、調理手段付テーブルに対応し、
コンロ３１、及び、七輪１００は、調理手段、加熱調理手段、又は、調理手段本体部に対応し、
円筒状基台２１は、筒状基台に対応し、
側壁開口部２８は、筒状基台側壁開口部に対応し、
加熱部３０は、熱源に対応し、
内部空間Ａは、内部に対応し、
スライド係合金具７１、及び、スライド棒係合孔７２は、天板固定手段に対応し、
調理器具８０は、調理手段に対応し、
調理器具本体８１は、調理手段本体部に対応し、
調理器具本体格納箱８２は、調理手段本体格納部に対応するものとする。
【符号の説明】
【０１４１】
１…コンロ付テーブル
１Ａ…調理器具付テーブル
２…ドラム缶
１１…テーブル天板
１２…天板開口部
２１…円筒状基台
２２…円筒状基台本体
２４ａ…開口上端部分
２５…切欠き部
３０…加熱部
３１…コンロ
３３，８２ａ…隅角部分
４１…焼き調理用プレート
４２…溝
４３…凹溝
４４…連通溝
４７…熱源配置相当部分
４８…熱源非配置相当部分
７１…スライド係合金具
７２…スライド棒係合孔
７５…塗装部
８０…調理器具
８１…調理器具本体
８２…調理器具本体格納箱
Ａ…内部空間
【図１】
2011005175.tif 000003
【図２】
2011005175.tif 000004
【図３】
2011005175.tif 000005
【図４】
2011005175.tif 000006
【図５】
2011005175.tif 000007
【図６】
2011005175.tif 000008
【図７】
2011005175.tif 000009
【図８】
2011005175.tif 000010
【図９】
2011005175.tif 000011
【図１０】
2011005175.tif 000012
【図１１】
2011005175.tif 000013
【図１２】
2011005175.tif 000014
【図１３】
2011005175.tif 000015